(57)【要約】 【課題】  止血帯に用いる貼り替え用止血パッドを提供する。【解決手段】  止血帯は、織物帯１と、織物帯１の一方端部の外面に貼着された第一係止片２とからなる。織物帯１は、長手方向に走行する弾性糸で織成されてなり、長手方向に強力な伸縮性を持つ。貼り替え用止血パッド４’は、その長手方向の両端に織物帯１の内面に係止しうる係止部材を備えた第三係止片５が貼着されている。貼り替え用止血パッド４’は、織物帯１の一方端部の内面に、第三係止片５の係止部材によって係止貼合される。貼り替え用止血パッド４’が係止貼合され、パッド付き止血帯として救急患者等に用いられる。貼り替え用止血パッド４’は、傷口に当てられるものであり、織物帯１の長手方向に伸縮性を有する伸縮ネットよりなるシートと、コットンウェブとが交絡一体化されてなる不織布を具備している。【選択図】  図３
2014079293.tif 000002
【特許請求の範囲】
【請求項１】
長手方向に走行する弾性糸で織成された織物帯と、
前記織物帯の一方端部の外面に貼着され、前記織物帯内面に係止しうる係止部材を非貼着面に備えた第一係止片とからなる止血帯に用いる貼り替え用止血パッドであって、
前記止血パッドは、前記織物帯の長手方向に伸縮性を有する伸縮ネットよりなるシートと、コットンウェブとが交絡一体化されてなる不織布を具備し、
前記止血パッドの長手方向の両端には、前記織物帯の内面に係止しうる係止部材を備えた第三係止片が貼着されており、
前記止血パッドは、前記第三係止片により、前記織物帯の前記一方端部の内面に係止貼合可能であり、傷口に当てうるように構成されていることを特徴とする貼り替え用止血パッド。
【請求項２】
織物帯の他方端部の外面に、該他方端縁を超えて貼着された第二係止片を具備し、該他方端縁を超えた該第二係止片の内面には、該織物帯外面に係止しうる係止部材がさらに設けられている止血帯に用いる請求項１記載の貼り替え用止血パッド。
【請求項３】
伸縮ネットに長繊維ウェブが貼着されており、該長繊維ウェブは延伸熱可塑性長繊維が幅方向に実質的に配列されているシートを用いる請求項１記載の貼り替え用止血パッド。
【請求項４】
パッドとして、不織布の積層物を用いる請求項１記載の貼り替え用止血パッド。
【請求項５】
シートとコットンウェブとは、水流交絡法により交絡一体化されている請求項１記載の貼り替え用止血パッド。
【請求項６】
請求項１記載の貼り替え用止血パッドを、請求項１記載の止血帯に貼合してなるパッド付き止血帯。
【発明の詳細な説明】
【技術分野】
【０００１】
本発明は、傷口からの血液を吸収しうる貼り替え用止血パッドに関し、特定の止血帯に適用しうる貼り替え用止血パッドに関するものである。
【背景技術】
【０００２】
従来より、傷口を覆うと共に血管を圧迫して失血を防止するために、救急患者等に三角巾等が用いられている。しかしながら、三角巾等は、傷口や傷の状態によって、巻き方や結び方に技術を要し、熟練者しか使用できないという憾みがあった。
【０００３】
このため、傷口に巻回しただけで止血しうるパッド付き止血帯を、本件出願人は提案した（特許文献１）。このパッド付き止血帯は、長手方向に走行する弾性糸で織成された織物帯１と、織物帯１の一方端部の内面に貼合され、傷口に当てられるパッド４と、織物帯１の一方端部の外面に貼着され、織物帯１内面に係止しうる係止部材を非貼着面に備えた第一係止片２とからなるものである（図１及び図２）。そして、パッド４は、織物帯１の長手方向に伸縮性を有する伸縮ネットよりなるシートと、コットンウェブとが交絡一体化されてなる不織布を具備するものである。
【０００４】
【特許文献１】特願２０１１−２２６１３９号明細書
【発明の概要】
【発明が解決しようとする課題】
【０００５】
本発明は、特許文献１に記載されているパッド付き止血帯を使用した後、血液等で汚れたパッドのみを織物帯から取り外して廃棄し、新しいパッドを織物帯に貼合するための貼り替え用止血パッドを提供しようというものである。
【課題を解決するための手段】
【０００６】
すなわち、本発明は、長手方向に走行する弾性糸で織成された織物帯と、前記織物帯の一方端部の外面に貼着され、前記織物帯内面に係止しうる係止部材を非貼着面に備えた第一係止片とからなる止血帯に用いる貼り替え用止血パッドであって、前記止血パッドは、前記織物帯の長手方向に伸縮性を有する伸縮ネットよりなるシートと、コットンウェブとが交絡一体化されてなる不織布を具備し、前記止血パッドの長手方向の両端には、前記織物帯の内面に係止しうる係止部材を備えた第三係止片が貼着されており、前記止血パッドは、前記第三係止片により、前記織物帯の前記一方端部の内面に係止貼合可能であり、傷口に当てうるように構成されていることを特徴とする貼り替え用止血パッドに関するものである。
【０００７】
まず、本発明に係る貼り替え用止血パッド４’が適用される止血帯について説明する。止血帯の主体は織物帯１であり、これが傷口上に巻回される。織物帯１は、平織組織や綾織組織等の任意の織組織で織成されてなる。そして、織物帯１は、その長手方向に走行する弾性糸を用いて織成されている。弾性糸を用いることによって、織物帯１は長手方向に良好な伸縮性を有するのである。弾性糸としては、一般的にゴム糸が用いられるが、好ましくはポリウレタンモノフィラメント糸が用いられ、より好ましくはポリウレタンモノフィラメント糸の外周面がポリエステルマルチフィラメント糸等で被覆された被覆糸が用いられる。被覆するポリエステルマルチフィラメント糸等は、ポリウレタンモノフィラメント糸の伸縮性に良好に追随するように、嵩高加工糸であるのが好ましい。なお、被覆糸を用いる理由は、織成の際に筬等の織機に弾性糸が引っ掛からないようにするためであり、織成をスムースに行うためである。
【０００８】
織物帯１の長手方向を経方向とした場合、弾性糸が経糸になる。織物帯１の幅方向は伸縮性を必要としないため、一般的に非弾性糸が緯糸として用いられる。織物帯１は、以下のようにして織成されているのが最も好ましい。すなわち、経糸として、弾性糸と、弾性糸間に非弾性の嵩高加工糸とが用いられているのが好ましい。嵩高加工糸は弾性糸のような強力な伸縮性はないが、弾性糸の伸縮性に追随する程度の伸縮性がある。したがって、織成中は弾性糸と嵩高加工糸は同等に伸びた状態となっているが、織成後に弾性糸が縮むと、嵩高加工糸も縮むことになるが、この際に嵩高加工糸は膨らんだ状態となって縮むことになる。したがって、弾性糸の縮み性によって、嵩高加工糸が織物帯１の外面及び／又は内面に露出することになる。嵩高加工糸の露出は、織物帯１に貼着された第一係止片２及び第二係止片３、さらに貼り替え用止血パッド４’に貼着された第三係止片５を、織物帯１の内面又は外面に係止しやすくなるという利点がある。また、織物帯１として、その外面及び／又は内面にパイルを設けたパイル織物を用いるのも、第一係止片２、第二係止片３及び第三係止片５を係止しやすくなるので好ましい。
【０００９】
織物帯１の一方端部の外面（肌に当接する面の反対面）には、第一係止片２が貼着されている。第一係止片２は、織物帯１の伸縮性を阻害しないように、なるべく小さな片を用いるのが好ましい。第一係止片２の貼着は任意の手段で行えるが、一般的には第一係止片２を織物帯１に縫製するのが好ましい。第一係止片２の非貼着面には、係止部材（図１中の薄墨部）が設けられている。係止部材は、織物帯１の内面に係止しうるものであれば任意であるが、強力な係止を必要とすることが多いので、一般的に面ファスナーの鉤部材を用いるのが好ましい。
【００１０】
また、織物帯１の他方端部（第一係止片２が貼着されている端部の反対側の端部）に、第二係止片３が貼着されていてもよい。たとえば、他方端部の内面に第二係止片３を貼着し、非貼着面に係止部材が設けられていてもよい。好ましくは、第二係止片３は、図１及び図２に示したような態様で貼着されているのがよい。すなわち、織物帯１の他方端部の外面に、他方端縁を超えて第二係止片３を貼着し、他方端縁を超えた第二係止片３の内面に、織物帯１の外面に係止しうる係止部材を設けるのが好ましい。第二係止片３に設けられる係止部材も、一般的に面ファスナーの鉤部材を用いるのが好ましい。
【００１１】
織物帯１の一方端部の内面には、本発明に係る貼り替え用止血パッド４’が貼合される。図２は、貼り替え用止血パッド４’（図２中の濃墨部）を貼合した状態を示している。具体的には、前に使用した血液等で汚染されたパッド４を取り外し、その取り外した領域に、新たに貼り替え用止血パッド４’を貼合するのである。貼り替え用止血パッド４’の貼合は、貼り替え用止血パッド４’の長手方向の両端に貼着された第三係止片５によって行う。長手方向の両端に第三係止片５が貼着されているのは、織物帯１及び貼り替え用止血パッド４’の長手方向に対する伸縮性を阻害しないようにするためである。第三係止片５には、織物帯１の内面に係止しうる係止部材が設けられており、この係止部材によって織物帯１の内面に貼合しうるのである。第三係止片５に設けられる係止部材も、一般的に面ファスナーの鉤部材を用いるのが好ましい。
【００１２】
貼り替え用止血パッド４’は、傷口に当てられるものであり、血液の吸収性に優れたものである。本発明に係る貼り替え用止血パッド４’は、織物帯１と同等の伸縮性を持つように構成されている。このため、止血パッド４’は、少なくとも織物帯１の長手方向に伸縮性を有する伸縮ネットよりなるシートと、コットンウェブとが交絡一体化されてなる不織布を採用している。すなわち、伸縮ネットによって織物帯１と同等の伸縮性を与えることができ、コットンウェブによって血液の吸収性を与えることができるのである。止血パッド４’は、この不織布が１枚であっても差し支えないが、一般的に２〜１０枚程度が積層された積層物を採用するのが好ましい。図３では１枚の不織布を二つ折りにして、二層積層物としたものを示している。積層物を採用する理由は、止血パッド４’の伸縮性を強力にすると共に、血液の吸収性を向上させるためである。伸縮ネットよりなるシートとコットンウェブとを交絡一体化させた不織布を得る方法としては、シートの両面又は片面にコットン繊維集合体を積層した後に、高圧水流をコットン繊維集合体に向けて噴射することにより、コットン繊維同士を交絡させると共に、伸縮ネットの目を通してコットン繊維を伸縮ネットと交絡させる方法を採用するのが好ましい。
【００１３】
また、伸縮ネットよりなるシートとしては、伸縮ネットに長繊維ウェブが貼着されてなるシートを用いることも好ましい。この長繊維ウェブは、延伸熱可塑性長繊維が幅方向に実質的に一方向に配列されてなるものである。かかるシートを用いる理由は、不織布を製造しやすくするためであり、特願２０１０−２０３８２０号の明細書に詳述されている。具体的に説明すれば、以下のとおりである。伸縮ネットよりなるシートとコットン繊維集合体を積層して、高圧水流を施すとき、搬送方向に伸縮ネットが伸びると均一な不織布が得られにくくなる。伸縮ネットとして、搬送方向及び搬送方向に対して直交する方向の両方に伸縮性を有するものを採用した場合は、当然に搬送方向に伸縮ネットが伸びるが、搬送方向に伸縮性がなく、搬送方向に対して直交する方向にのみ伸縮性を有するものを採用した場合であっても、搬送方向に均一な外力が負荷されない場合、伸縮ネットが搬送方向に部分的に伸びて歪むことになる。したがって、搬送方向に伸縮ネットが伸びないように、搬送方向に配列されている延伸熱可塑性長繊維よりなる長繊維ウェブを伸縮ネットに貼合したシートに、コットン繊維集合体を積層して高圧水流を施して不織布を得るのである。なお、このようにして得られた不織布は、製造時の搬送方向が幅方向となり、搬送方向と直交する方向が長手方向となって、織物帯１の内面に貼合される。
【００１４】
本発明に係る貼り替え用止血パッド４’は、織物帯１の内面に第三係止片５によって係止貼合された後、以下のようにして使用される。すなわち、織物帯１に係止貼合された貼り替え用止血パッド４’を腕や足等の傷口に当てて、織物帯１及び止血パッド４’を長手方向に引っ張って伸ばしながら、腕や足等に巻回して、第一係止片２が貼着されている位置に織物帯１の内面が到達したときに、織物帯１の内面を第一係止片２に係止する。織物帯１は引っ張られながら巻回されているので、第一係止片２が織物帯１の内面と係止した時点で、織物帯１及び止血パッド４’が縮み傷口が圧迫される。これにより、止血効果が奏せられるのである。
【００１５】
織物帯１及び止血パッド４’が良好な伸縮性を有しているので、第一係止片２を織物帯１の内面と係止するだけで十分な圧迫が可能であるが、さらに圧迫が必要なときは、織物帯１をさらに何回も引っ張りながら巻回し、第二係止片３を織物帯１の外面に係止する。これにより、さらに強力が圧迫が可能となり、止血効果が向上する。
【発明の効果】
【００１６】
本発明に係る貼り替え用止血パッドは、織物帯に係止貼合することによって用いられるものである。したがって、使用後に血液等で汚染した貼り替え用止血パッドは、外力を負荷して係止を解除すれば、容易に織物帯から取り外すことができ、そして取り外した領域に新しい貼り替え用止血パッドを第三係止片で係止貼合すれば、再度使用することができる。よって、織物帯で構成されている止血帯を再利用し、新たな貼り替え用止血パッドを何度も貼合して使用でき、織物帯を有効利用できるという効果を奏する。
【図面の簡単な説明】
【００１７】
【図１】本発明に係る貼り替え用止血パッドを適用する止血帯の表面図（外面図）である。
【図２】図１に示した止血帯にパッドを適用した状態を示す裏面図（内面側）である。
【図３】本発明に係る貼り替え止血バッドの一例を示す側面図であり、図中の横方向が貼り替え用止血パッドの長手方向に相当する。
【符号の説明】
【００１８】
１    織物帯
２    第一係止片
３    第二係止片
４    パッド
４’  貼り替え用止血パッド
５    第三係止片
【図１】
2014079293.tif 000003
【図２】
2014079293.tif 000004
【図３】
2014079293.tif 000005